(57)【要約】【課題】既に内蔵されている各種センサ類や外部との通信機能を用いて、不審者の侵入を検知したり、子供やペットの見守りを行う付加機能を低価格で行う。【解決手段】室内画像を撮像可能とする撮像素子２と、この撮像素子２からの撮像画像情報から室内にいる人間およびペットのうちの少なくともいずれかの活動状態を検出する活動状態検出手段３と、この活動状態検出手段３で検出した人間およびペットのうちの少なくともいずれかの活動状態の情報に応じて空気調和制御手段５による空気調和処理および、情報出力手段６および警報手段７による警報情報出力処理のうちの少なくともいずれかに切り替え制御する処理切り替え手段４とを有している。【選択図】図１
2010071595.tif 000002
【特許請求の範囲】
【請求項１】
室内画像を撮像可能とする撮像手段と、該撮像手段からの撮像画像情報から室内にいる人間およびペットのうちの少なくともいずれかの活動状態を検出する活動状態検出手段と、該活動状態検出手段で検出した人間およびペットのうちの少なくともいずれかの活動状態の情報に応じて空気調和処理および情報出力処理のうちの少なくともいずれかに切り替え制御する処理切り替え手段とを有する空気調和装置。
【請求項２】
前記活動状態検出手段により検出された人間およびペットのうちの少なくともいずれかの活動状態の情報に基づいて、該人間およびペットのうちの少なくともいずれかが所望の感覚を得るように前記空気調和処理として送風制御を行う空気調和制御手段と、該人間およびペットのうちの少なくともいずれかの活動状態の情報を前記情報出力処理として出力可能とする情報出力手段とを更に有する請求項１に記載の空気調和装置。
【請求項３】
前記活動状態は、人間または／およびペットの位置および方向、不審者またはペットの侵入の有無および、人間または／およびペットの室内での動きのいずれかである請求項２に記載の空気調和装置。
【請求項４】
前記人間またはペットの侵入の有無は、外出または夜間の室内不在を示す情報が入力されており、かつ人間またはペットが存在するかしないかを前記活動状態検出手段が検出して、侵入情報を前記情報出力手段が出力する請求項３に記載の空気調和装置。
【請求項５】
前記人間または／およびペットの室内での動きは、該人間およびペットのうちの少なくともいずれかが前記室内にいるかまたはいなくなったかを前記活動状態検出手段が検出して監視し、その監視情報を前記情報出力手段に出力する請求項３に記載の空気調和装置。
【請求項６】
前記情報出力手段の出力先として、前記人間およびペットのうちの少なくともいずれかの活動状態の情報が異常を示す場合に、これを検出して、警告音、警告音声、照明の点灯、照明の点滅および画面表示のうちの少なくともいずれかにより、室内外にいる人間に警告を与える警報手段を更に有する請求項２に記載の空気調和装置。
【請求項７】
前記警報手段は、外出または夜間の室内不在を示す情報が入力され、かつ人間またはペットが存在する場合または、子供、お年寄りおよびペットのうちの少なくともいずれかが前記室内からいなくなった場合を、前記活動状態の情報が異常を示す場合として検出する請求項６に記載の空気調和装置。
【請求項８】
前記情報出力手段からの室内情報を、通信回線を用いて室内またはその外部の電子機器に通信可能とする通信手段を更に有する請求項２に記載の空気調和装置。
【請求項９】
前記電子機器は、一または複数のパーソナルコンピュータおよび携帯端末装置のうちの少なくともいずれかである請求項８に記載の空気調和装置。
【請求項１０】
前記処理切り替え手段は、前記空気調和制御手段を作動させて前記空気調和処理を行うかまたは、前記情報出力手段を作動させて前記情報出力処理を行うかを選択的に切り替え制御可能とする請求項２に記載の空気調和装置。
【請求項１１】
前記処理切り替え手段は、前記空気調和制御手段を作動させて前記空気調和処理を行っていない場合には、自動的に、前記情報出力手段を作動させて前記情報出力処理を行うように切り替え制御する請求項２に記載の空気調和装置。
【請求項１２】
前記処理切り替え手段は、利用者が手動入力操作により、前記空気調和制御手段を作動させるかまたは、前記情報出力手段を作動させるかを切り替え制御可能とする請求項２に記載の空気調和装置。
【請求項１３】
前記処理切り替え手段は、前記空気調和制御手段および前記情報出力手段を同時に作動させるように制御可能とする請求項２に記載の空気調和装置。
【請求項１４】
前記送風制御の項目は、吹き出し温度、送風方向および送風強度のうちの少なくとも該送風方向である請求項２に記載の空気調和装置。
【請求項１５】
前記活動状態検出手段は、定期的な繰り返し動作を検出した場合には、前記人間やペットではないと判定して検出動作物体から排除する請求項１に記載の空気調和装置。
【請求項１６】
前記活動状態検出手段は、前記人間やペットの検出に無関係な動く物体を排除するために、検出しない領域を指定して検出領域から排除可能とする請求項１に記載の空気調和装置。
【発明の詳細な説明】
【技術分野】
【０００１】
本発明は、空調空間における人の位置を認識するセンサを有した空気調和装置に関し、そのセンサが取得した位置情報を快適空調制御に利用するだけでなく、監視や防犯にも利用する空気調和装置に関する。
【背景技術】
【０００２】
従来の空気調和装置について特許文献１に提案されている。特許文献１では、赤外線センサを用いて、人体の存在方向と出力強度から距離を検知する位置検出手段が設けられて、人の存在位置に応じて風向および風速を変更する制御を行っている。
【０００３】
また、従来の空気調和装置において、特許文献２では、画像センサを用いて撮像画像から室内の人間を検出し、検出された人間の活動状態に応じてその人間が快適になるように空調制御を行っている。
【０００４】
さらに、従来の空気調和装置において、特許文献３では、室温データやリモコン設定情報、画像センサから取得した画像などを、インターネットを経由して外部に送信したり、外部（携帯端末装置や家庭用パーソナルコンピュータなど）から、設定温度や運転モードを遠隔操作した情報を空気調和装置の室内機に送信する通信手段を有する空気調和装置が示されている。
【特許文献１】特許第２９２１２５６号
【特許文献２】特開平６−３２３５９９号公報
【特許文献３】特開２００６−２２０４０５号公報
【発明の開示】
【発明が解決しようとする課題】
【０００５】
上記従来の空気調和装置は、上述したように、室内雰囲気に対して空気調和制御を行い、人間が快適と感じる室内環境を提供するためのものである。特許文献１、２では、その快適性をより一層向上させることを目的として、赤外線センサや画像センサを用いて、人の存在位置を認識しその人の存在位置に応じて風向制御および風速制御を変更する手段が提案されている。さらに、特許文献３では、その空気調和装置が取得した各種情報をインターネットを経由して外部に送信したり、外部から、空気調和装置を制御するための情報を空気調和装置に送信する通信機能を持っている。
【０００６】
しかし、これらの従来の空気調和装置では、各種センサによる人間の存在検知や、インターネット経由での外部との情報の授受については、空気調和装置の動作を空調制御するためのみに利用されていた。
【０００７】
本発明は、上記従来の問題を解決するもので、既に内蔵されている各種センサ類や外部との通信機能を用いて、不審者やペットの侵入を検知したり、お年寄り、子供やペットの見守りを行う付加機能を低価格で付加することができる空気調和装置を提供することを目的とする。
【課題を解決するための手段】
【０００８】
本発明の空気調和装置は、室内画像を撮像可能とする撮像手段と、該撮像手段からの撮像画像情報から室内にいる人間およびペットのうちの少なくともいずれかの活動状態を検出する活動状態検出手段と、該活動状態検出手段で検出した人間およびペットのうちの少なくともいずれかの活動状態の情報に応じて空気調和処理および情報出力処理のうちの少なくともいずれかに切り替え制御する処理切り替え手段とを有するものであり、そのことにより上記目的が達成される。
【０００９】
また、好ましくは、本発明の空気調和装置における活動状態検出手段により検出された人間およびペットのうちの少なくともいずれかの活動状態の情報に基づいて、該人間およびペットのうちの少なくともいずれかが所望の感覚を得るように前記空気調和処理として送風制御を行う空気調和制御手段と、該人間およびペットのうちの少なくともいずれかの活動状態の情報を前記情報出力処理として出力可能とする情報出力手段とを更に有する。
【００１０】
さらに、好ましくは、本発明の空気調和装置における活動状態は、人間または／およびペットの位置および方向、不審者またはペットの侵入の有無および、人間または／およびペットの室内での動きのいずれかである。
【００１１】
さらに、好ましくは、本発明の空気調和装置における不審者などの人間またはペットの侵入の有無は、外出または夜間の室内不在を示す情報が入力されており、かつ人間またはペットが存在するかしないかを前記活動状態検出手段が検出して、不審者情報を前記情報出力手段が出力する。
【００１２】
さらに、好ましくは、本発明の空気調和装置における人間または／およびペットの室内での動きは、該人間およびペットのうちの少なくともいずれかが前記室内にいるかまたはいなくなったかを前記活動状態検出手段が検出して監視し、その監視情報を前記情報出力手段に出力する。
【００１３】
さらに、好ましくは、本発明の空気調和装置における情報出力手段の出力先として、前記人間およびペットのうちの少なくともいずれかの活動状態の情報が異常を示す場合に、これを検出して、警告音、警告音声、照明の点灯、照明の点滅および画面表示のうちの少なくともいずれかにより、室内外にいる人間に警告を与える警報手段を更に有する。
【００１４】
さらに、好ましくは、本発明の空気調和装置における警報手段は、外出または夜間の室内不在を示す情報が入力され、かつ人間またはペットが存在する場合または、子供、お年寄りおよびペットのうちの少なくともいずれかが前記室内からいなくなった場合を、前記活動状態の情報が異常を示す場合として検出する。
【００１５】
さらに、好ましくは、本発明の空気調和装置における情報出力手段からの室内情報を、通信回線を用いて室内またはその外部の電子機器に通信可能とする通信手段を更に有する。
【００１６】
さらに、好ましくは、本発明の空気調和装置における電子機器は、一または複数のパーソナルコンピュータおよび携帯端末装置のうちの少なくともいずれかである。
【００１７】
さらに、好ましくは、本発明の空気調和装置における処理切り替え手段は、前記空気調和制御手段を作動させて前記空気調和処理を行うかまたは、前記情報出力手段を作動させて前記情報出力処理を行うかを選択的に切り替え制御可能とする。
【００１８】
さらに、好ましくは、本発明の空気調和装置における処理切り替え手段は、前記空気調和制御手段を作動させて前記空気調和処理を行っていない場合には、自動的に、前記情報出力手段を作動させて前記情報出力処理を行うように切り替え制御する。
【００１９】
さらに、好ましくは、本発明の空気調和装置における処理切り替え手段は、利用者が手動入力操作により、前記空気調和制御手段を作動させるかまたは、前記情報出力手段を作動させるかを切り替え制御可能とする。
【００２０】
さらに、好ましくは、本発明の空気調和装置における処理切り替え手段は、前記空気調和制御手段および前記情報出力手段を同時に作動させるように制御可能とする。
【００２１】
さらに、好ましくは、本発明の空気調和装置における送風制御の項目は、吹き出し温度、送風方向および送風強度のうちの少なくとも該送風方向である。
【００２２】
さらに、好ましくは、本発明の空気調和装置における活動状態検出手段は、定期的な繰り返し動作を検出した場合には、前記人間やペットではないと判定して検出動作物体から排除する。
【００２３】
さらに、好ましくは、本発明の空気調和装置における活動状態検出手段は、前記人間やペットの検出に無関係な動く物体を排除するために、検出しない領域を指定して検出領域から排除可能とする。
【００２４】
上記構成により、以下、本発明の作用を説明する。
【００２５】
本発明においては、室内画像を撮像可能とする撮像手段と、この撮像手段からの撮像画像情報から室内にいる人間およびペットのうちの少なくともいずれかの活動状態を検出する活動状態検出手段と、この活動状態検出手段で検出した人間およびペットのうちの少なくともいずれかの活動状態の情報に応じて空気調和処理および警報情報出力処理のうちの少なくともいずれかに切り替え制御する処理切り替え手段とを有している。
【００２６】
これによって、既に内蔵されている各種センサ類や外部との通信機能を用いて、撮像画像情報から室内の人間やペットの活動状態を検出するため、不審者やペットの侵入を検知したり、子供やペットの見守りを行う付加機能を低価格で行うことが可能となる。
【発明の効果】
【００２７】
以上により、本発明によれば、既に内蔵されている各種センサ類や外部との通信機能を用いて、撮像画像情報から室内の人間およびペットのうちの少なくともいずれかの活動状態を検出するため、不審者やペットの侵入を検知したり、子供やペットの見守りを行う付加機能を低価格で行うことができる。
【発明を実施するための最良の形態】
【００２８】
以下に、本発明の空気調和装置の実施形態１、２について図面を参照しながら詳細に説明する。
【００２９】
（実施形態１）
図１は、本発明の実施形態１における防犯機能付き空気調和装置の構成図である。
【００３０】
図１において、本実施形態１の防犯機能付き空気調和装置１は、室内画像を撮像可能とする撮像手段２と、この撮像手段２により撮像された撮像画像情報から、室内にいる人間８やペットの活動状態を検出する活動状態検出手段３と、活動状態検出手段３により検出された人間８やペットの活動状態に応じて空気調和装置１が実行する処理として、空気調和制御処理または警報情報出力処理に切り替え可能とする処理切り替え手段４と、この処理切り替え手段４により、活動状態検出手段３で検出された人間８やペットの活動状態に基づいて、人間８やペットが所望の感覚を得るように送風制御を行う空気調和制御手段５と、活動状態検出手段３により検出された人間８やペットの活動状態に関する情報を外部に出力可能とする情報出力手段６と、この情報出力手段６からの出力情報に何らかの異常を検知した場合に、警報を出力する警報手段７とを有しており、この情報出力手段６の動作を制御することにより、空気調和機能を利用していない外出時や夜間などに、空気調和装置１に備わる各種センサを利用して不審者やペットの侵入の検知を行ったり、空気調和機能を利用しない場合に、お年寄りや子供、さらにペットの見守り（監視）を行う機能を実現することができる。
【００３１】
撮像手段２は、可視光で空調対象の室内を撮像する場合は、撮像方向前方にレンズが設けられた撮像素子（ＣＣＤまたはＣＭＯＳセンサなど）で構成されるビデオカメラを用いる。ビデオカメラの撮像手段２から出力された撮像画像信号を活動状態検出手段３に出力する。なお、本実施形態１において、撮像光は可視光だけではなく、赤外光を撮像可能な赤外線カメラであってもよい。また、コストを抑えるためには、焦電センサの赤外線センサを用いてもよい。ただし、赤外線センサの場合には、室内にいる人間８やペットの形状の判断はできず、存在するかしないかだけの情報の取得のみとなるので、人間８やペットの活動状態の検知精度や情報量は落ちる。
【００３２】
活動状態検出手段３は、撮像手段２からの画像信号を時系列に従ってフレーム毎に内部の画像メモリに記憶し、この画像メモリ内の記憶画像情報の特定のフレームに基づいて、室内における熱源や形状からの人間８やペットの有無の判定および、人間８やペットのいる位置（方向）を検出すると共に、時系列の複数のフレームの画像情報を監視して、室内の人間８やペットの状態変化からその人間８やペットの活動状態を検出する。
【００３３】
この場合の室内の人間８やペットの活動状態としては、人間または／およびペットの位置および方向、不審者などの人間またはペットの侵入の有無および、人間または／およびペットの室内での動きのいずれかである。不審者まどの人間またはペットの侵入の有無については、外出または夜間の室内不在時を示す情報が、図示しない操作入力部（ボタン）から入力されているときに、室内に、人間８やペットが存在するかまたは、人間８やペットが存在しないかを活動状態検出手段３が検出して、その検出結果としての侵入情報（不審者やペットの有無情報）を情報出力手段６に出力する。また、子供、お年寄りおよびペットのうちの少なくともいずれかの監視については、子供、お年寄りおよびペットのうちの少なくともいずれかが、室内にいるかまたは室内からいなくなったかを、活動状態検出手段３が検出して、この監視情報（人間８やペットがいた場合からいなくなった場合の変化情報など）を情報出力手段６に出力する。
【００３４】
活動状態検出手段３が、人間８とペットを判別する場合や、子供とお年寄りを判別する場合についても、撮像素子２による画像信号の画像処理（フレーム間の差演算により動きのある物体を検出）により特徴部分（頭と胴体の形状とその大きさ）の形状比較を行うことより判別することができる。また、撮像素子２による撮像時の異なるフレーム間の画像信号の差演算を取る画像処理により動いている物体が人間であるのかペットであるのかまたはそれ以外であるのかについて検出して、その検出物体の位置と方向を検出することもできる。
【００３５】
この場合、例えば扇風機の首振り動作のように定期的な繰り返し動作のものは、人間やペットではないとして検出物体から排除し、また、カーテンが風で揺らいで動いている場合のように、常にその位置で動くものについてはその領域を活動状態検出手段３による検出領域から排除することもできる。よって、活動状態検出手段３は、定期的な繰り返し動作を検出した場合には、人間やペットなどの生き物ではないと判定して、活動状態検出手段３による検出動作物体から、例えば扇風機の首振り動作のように定期的な繰り返し動作をする物体を排除する。また、活動状態検出手段３は、人間やペットの検出に無関係な、例えばカーテンのような固定位置にある動く物体を排除するために、検出しない領域を指定して、活動状態検出手段３による検出領域から排除可能とする。
【００３６】
処理切り替え手段４は、図２に示すように、処理切り替え制御部４１と処理切り替え器４２とから構成されている。処理切り替え制御部４１は、活動状態検出手段３により検出された人間の活動状態と、空気調和装置１自体の動作状況に応じて、空気調和装置１が実行する処理を切り替えための制御を行う。例えば、空気調和装置１が、室内の人間８やペットに対して、暖風または冷風を風量、風向を調節しながら吹き出し口から吹き出して、室内を快適な環境に保つ空気調和処理機能を働かせている動作状態の場合には、処理切り替え制御部４１は処理切り替え器４２に対して、空気調和制御手段５が活動状態検出手段３により検出された人間８やペットの活動状態に基づいて、人間８やペットが快適な感覚を得るように送風を制御するための情報を空気調和制御手段５に伝えるように制御する。また、空気調和装置１が、上述の空気調和機能を働かせていない動作状態の場合には、室内に不審者が侵入してきたかどうかを監視するために、情報出力手段６が活動状態検出手段３により検出された人間８やペットの活動状態に基づいて、人間８やペットが不審者または不審物体かどうか判断するための情報を情報出力手段６に伝えるように制御するようになっている。
【００３７】
要するに、処理切り替え手段４は、空気調和装置１自体の動作状況、即ち、空気調和機能を働かせているかいないかに応じて、空気調和制御手段５を有効にするか、情報出力手段６を有効にするかを自動的に切り替えている。
【００３８】
空気調和制御手段５は、活動状態検出手段３により検出された人間８の活動状態に基づいて、人間８が快適な感覚を得るように送風を制御するために、空気調和装置１の空気吹き出し口（図示せず）から室内に向ける送風の送風方向、送風量（送風強度）および吹き出し温度の調節を行う。
【００３９】
情報出力手段６は、処理切り替え手段４によって室内に不審者が侵入してきたかどうかを監視することを指示されている場合に、活動状態検出手段３により検出された人間８の活動状態の情報に基づいて、人間８が活動していることを検知したとき、その人間８を不審者の侵入と判断し、警報を発するための警報情報を警報手段７に出力する。
【００４０】
警報手段７は、情報出力手段６からの警報出力情報に基づいて、その警報出力情報を検出してそれが異常情報（例えば不審者の侵入情報）の場合、ブザーなどによる警告音や警告音声、ライトによる照明（点灯や点滅）、表示による画面表示などにより、異常を検知したことを周辺の人間に通知することができる。
【００４１】
要するに、警報手段７は、外出または夜間の室内不在を示す情報が入力され、かつ人間８またはペットが存在する場合または、子供、お年寄りおよびペットのうちの少なくともいずれかが室内からいなくなった場合などを、人間８またはペットの活動状態の情報が異常を示す場合として検出して、警告音などにより周辺の人間に警告を与える。
【００４２】
以上により、本実施形態１によれば、既に内蔵されている各種センサ類としての撮像手段としての撮像素子２（または赤外線センサ）を用いて、撮像画像情報から室内の人間およびペットのうちの少なくともいずれかの活動状態を検出するため、不審者の侵入を検知したり、お年寄り、子供やペットなどの見守り（監視）を行う付加機能を低価格で行うことができる。
【００４３】
なお、本実施形態１では、処理切り替え手段４は、空気調和装置１自体の動作状況、即ち、空気調和機能を働かせているかいないかに応じて、空気調和制御手段５を有効にするか、情報出力手段６を有効にするかを自動的に切り替えているが、これに限らず、処理の切り替えは自動的ではなく、空気調和装置１の利用者が手動にて切り替えるように処理切り替え手段４に入力操作部（図示せず）から入力指示するようにしてもよい。
【００４４】
また、本実施形態１では、空気調和制御手段５と情報出力手段６は排他的に利用されることを想定しているが、空気調和制御手段５と情報出力手段６を同時に利用できるように処理切り替え手段４に指示させることも可能である。この場合には、空気調和機能を働かせている室内にいる子どもやお年寄り、ペットなどの見守りにも利用することができる。さらに、処理切り替え手段４は、空気調和制御処理および警報情報出力処理に切り替え可能とすることもできる。即ち、処理切り替え手段４は、空気調和制御処理および警報情報出力処理のうちの少なくともいずれかに切り替えることができる。
（実施形態２）
図３は、本発明の実施形態２における防犯機能付き空気調和装置の構成図である。なお、図３は、図１の構成部材と同様の作用効果を奏する部材には同一の部材番号を付してその説明を省略する。
【００４５】
図３において、本実施形態２の空気調和装置１の構成は、図１に示す実施形態１の場合と同様であるが、情報出力手段６が通信手段９と接続されている点が異なっている。この通信手段９は、情報出力手段６からの室内情報として、室内の人間８やペットの活動状態などの情報を、通信回線を用いて室内内外部の電子機器（ＰＣ１０、１１や携帯電話会社１２の送受信機器）に通信可能とする。
空気調和装置１は、通信手段９によって、空気調和装置１が設置されている建物と同じ建物内に設置された家庭内ＰＣ（パーソナルコンピュータ）１０、空気調和装置１が設置されている建物と同じ建物外に設置された家庭外ＰＣ（パーソナルコンピュータ）１１にインターネットなどを介して接続されている。また、通信手段９は携帯電話会社１２の送受信機器とも接続されており、携帯電話会社１２の送受信機器を介して携帯電話装置１３とも接続可能である。
【００４６】
従来技術として、空気調和装置１と通信手段９とを接続した事例は特開２００６−２２０４０５号公報に示されており、室温データやリモコン設定情報、画像センサから取得した画像信号などを、インターネットを経由して外部に送信したり、外部（携帯端末装置、家庭用パーソナルコンピュータなど）から、設定温度や運転モードを遠隔操作した情報を空気調和装置１の室内機に送信する機能について記述されているが、これらは空気調和機能を制御するためだけに使用されている。
【００４７】
本実施形態２では、情報出力手段６以外は上記実施形態１の場合と同様に動作する。本実施形態２の情報出力手段６は、処理切り替え手段４によって室内に不審者が侵入してきたかどうかを監視することを指示されている場合、活動状態検出手段３により検出された人間８やペットの活動状態の情報に基づき、人間８やペットが活動していることを検知したとき、その人間８やペットを不審者の侵入と判断し、警報を発するための警報情報を警報手段７に伝えると共に、通信手段９を介して、不審者の情報をインターネットメールなどにより、端末装置である家庭内ＰＣ１０や外出先での家庭外ＰＣ１１または携帯電話装置１３に伝えることが可能であり、不審者の画像を添付することも可能である。
【００４８】
また、空気調和制御手段５と情報出力手段６を同時に利用できるように処理切り替え手段４が指示している場合、空気調和処理機能を働かせている室内にいる子どもやお年寄り、また、ペットなどの見守りのために、空気調和装置１が設置されている部屋とは別の部屋にある家庭内ＰＣ１０や外出先での家庭外ＰＣ１１または携帯電話装置１３からの指示を受けて、室内の撮像画像情報を送信することも可能である。
【００４９】
以上により、本実施形態２によれば、既に内蔵されている各種センサ類としての撮像素子２（または赤外線センサ）、および外部との通信処理機能を用いて、撮像画像情報から室内の人間およびペットのうちの少なくともいずれかの活動状態を検出するため、不審者または不審物体の侵入を検知したり、子供やペットの見守り（監視）を行う付加機能を低価格で行うことができる。
【００５０】
なお、本実施形態１、２では、特に説明しなかったが、室内画像を撮像可能とする撮像素子２と、この撮像素子２からの撮像画像情報から室内にいる人間およびペットのうちの少なくともいずれかの活動状態を検出する活動状態検出手段３と、この活動状態検出手段３で検出した人間およびペットのうちの少なくともいずれかの活動状態の情報に応じて空気調和処理および警報情報出力処理のうちの少なくともいずれかに切り替え制御する処理切り替え手段４とを有していれば、既に内蔵されている各種センサ類や外部との通信機能を用いて、不審者やペットの室内への侵入を検知したり、お年寄り、子供やペットの見守り（監視）を行う付加機能を低価格で実施することができる本発明の目的を達成することができる。
【００５１】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５２】
本発明は、空調空間における人の位置を認識するセンサを有した空気調和装置に関し、そのセンサが取得した位置情報を快適空調制御に利用するだけでなく、監視や防犯にも利用する空気調和装置の分野において、既に内蔵されている各種センサ類や外部との通信機能を用いて、不審者の侵入を検知したり、子供やペットの見守りを行う付加機能を低価格で行うことができる。
【図面の簡単な説明】
【００５３】
【図１】本発明の実施形態１における防犯機能付き空気調和装置の構成図である。
【図２】図１の処理切り替え手段の詳細な構成図である。
【図３】本発明の実施形態２における防犯機能付き空気調和装置の構成図である。
【符号の説明】
【００５４】
１  防犯機能付き空気調和装置
２  撮像手段
３  活動状態検出手段
４  処理切り替え手段
４１  処理切り替え制御部
４２  処理切り替え器
５  空気調和制御手段
６  情報出力手段
７  警報手段
８  人間
９  通信手段
１０  家庭内ＰＣ（パーソナルコンピュータ）
１１  家庭外ＰＣ（パーソナルコンピュータ）
１２  携帯電話会社
１３  携帯電話装置
【図１】
2010071595.tif 000003
【図２】
2010071595.tif 000004
【図３】
2010071595.tif 000005